Podtech/llm-jp-corpus-v4-ja_patent huggingface dataset:
(57)【要約】      （修正有）【課題】作品本体と展示パネルを磁力にて脱着可能にすることで、大きな作品をコンパクトに移動し、簡単に設置することができる作品展示パネルを提供する。【解決手段】周囲にスチールペーパー２を貼った展示パネル本体１を複数個連結し、裏にマグネットシート４を貼った作品５をスチールペーパー２にくっつけて展示する様に構成した。【選択図】図１
0003226557.tif 000002
【実用新案登録請求の範囲】
【請求項１】
周囲にスチールペーパーを貼った展示パネル本体を複数個連結し、裏にマグネットシートを貼った作品をスチールペーパーにくっつけて展示する様に構成した作品展示パネル。
【考案の詳細な説明】
【技術分野】
【０００１】      本考案は、書道等の作品の展示パネルに関するものである。
【背景技術】
【０００２】      展示会では、通常、作品は、予め展示パネルに貼り付けたものを持ち込んで展示される。
【考案の概要】
【考案が解決しようとする課題】
【０００３】      大型作品ともなるとパネルが大きいので輸送手段など大きな負担が生じるという問題がある。
【課題を解決するための手段】
【０００４】      本考案は、周囲にスチールペーパーを貼った展示パネル本体を複数個連結し、裏にマグネットシートを貼った作品をスチールペーパーにくっつけて展示する様に構成した事により、問題点を解決している。
【考案の効果】
【０００５】      マグネットを使うことで、作品とパネルを予め貼り付けず、作品は丸めて持ち運びができ、パネルは連結を前提とすることで、重ねて移動することが可能となる。別々にコンパクトに搬入搬出をし、展示会場で簡単に組み立てることができる。
【図面の簡単な説明】
【０００６】
【図１】本考案の作品とパネルの実地例を示す正面図である。
【図２】本考案の作品とパネルの実地例を示す断面図Ａ−Ａである
【考案を実施するための形態】
【０００７】      木製の作品パネル本体の表面の周囲に薄い鉄製のスチールシートを強力な粘着剤で貼り付ける。そのパネル本体を基本ユニットとし、作品の大きさによってパネル枚数を組み合わせて使用する。パネル同士の連結には、連結ボルトを使用する。パネル本体は移動や搬入出時には、重ねてコンパクトにしておく。一方作品においては、磁力のあるマグネットシートを帯状にし、作品裏側周囲に粘着剤にて貼り付けることで、パネルとの脱着を自由に行うことができるようにする。作品及びマグネットシートは、柔らかい素材の為、移動や搬入出時には、丸めてコンパクトになる。
【実施例】
【０００８】      以下、添付図面に従って一実施例を説明する。
パネル本体１にスチールペーパー２を周囲（四遍）に貼り付け、連結具３を使用し複数個組み合わせて様々な作品の大きさに対応する。連結具３はボルトとナットを使用する。なお、作品の大きさに応じてパネル本体１を上下に連結しても良い。
作品本体５の裏にはマグネットシート４が貼り付けてあり、パネル本体１のスチールペーパー部分２にマグネットシート４をくっつけて展示する。
【符号の説明】
【０００９】１      パネル本体
１−Ａ  パネル本体と一体の枠
２      スチールペーパー（鉄製の薄いシート）
３      パネル連結具
４      マグネットシート（磁力を有する帯状の薄いシート）
５      作品本体
【図１】
0003226557.tif 000003
【図２】
0003226557.tif 000004
(57)【要約】      （修正有）【課題】紐の輪をグリップに取り付けるパーキングブレーキ装置を提供する。【解決手段】車輪にブレーキを掛けるブレーキレバー３側の装置で、ブレーキレバーを握り、ブレーキが掛かった位置で、ブレーキレバーが戻らないように、ブレーキレバーの末端にグリップ４から出た紐の輪５を引っ掛けるパーキングブレーキ装置において、紐の両端部の横部に、グリップ底の穴径より長い抜け止用具を用いて両端部を接合して紐の輪を作り、紐の輪をグリップの底の穴に内側から通して、紐の輪が抜け止用具で止まり、グリップの底の穴から抜けないようにして、外側に出た紐の輪で、ブレーキレバーの末端を引っ掛けるように構成した。【選択図】図１
0003226556.tif 000002
【実用新案登録請求の範囲】
【請求項１】
車輪にブレーキを掛けるブレーキレバー側の装置で、ブレーキレバーを握り、ブレーキが掛かった位置で、ブレーキレバーが戻らないように、ブレーキレバーの末端にグリップから出た紐の輪を引っ掛けるパーキングブレーキ装置において、紐の両端部の横部に、グリップ底の穴径より長い抜け止用具を用いて両端部を接合して紐の輪を作り、紐の輪をグリップの底の穴に内側から通して、紐の輪が抜け止用具で止まり、グリップの底の穴から抜けないようにして、外側に出た紐の輪で、ブレーキレバーの末端を引っ掛けるように構成したパーキングブレーキ装置。
【考案の詳細な説明】
【技術分野】
【０００１】本考案はパーキングブレーキ装置に関する物である。
【背景技術】
【０００２】パーキングブレーキ装置で、ブレーキレバーの末端をグリップの末端から外に出た紐の輪で引っ掛け、ブレーキレバーが戻らないようにした装置において、簡単にグリップに紐を取り付ける方法を考案する必要があった。
【先行技術文献】
【実用新案文献】
【０００３】  実用新案登録  第３０７８１３８号
【考案の概要】
【考案が解決しようとする課題】
【０００４】紐の輪をグリップに取り付ける方法において、紐の両端をグリップの内部に残して抜けないようにして、外に出た紐の輪の大きさを一定にする方法を考案する必要があった。
【課題を解決するための手段】
【０００５】紐を結んで拳にするのでは寸法が一定になり難い。両紐の端を合して、紐の横部にグリップの底穴径より長いタップネジ結合したら抜け止めが出来て、輪の大きさも一定に出来るようになった。
【考案の効果】
【０００６】輪の大きさの寸法は一定になり、組たて作業も楽にになった。
【図面の簡単な説明】
【０００７】
【図１】  紐の輪をグリップ底で抜けないように止めた手段と、ブレーキの解放時のハンドルとブレーキレバーと紐の輪の関係を示す一部断面側面図。
【図２】  紐も輪をブレーキレバーに引っ掛けた側面図。
【考案を実施するための形態】
図１ブレーキ解放時は紐の輪とブレーキレバーの端は離れている。
図２パーキングブレーキ時は紐の輪はブレーキレバーの端に引っ掛かっている。
【符号の説明】１ブレーキレバー装置
２ハンドル
３ブレーキレバー
４グリップ
５紐の輪
６タップネジ
７ブレーキワイヤー
８ブレーキレバー軸
【図１】
0003226556.tif 000003
【図２】
0003226556.tif 000004
(57)【要約】      （修正有）【課題】紐を無くし、マスクのふちをテープで貼ることで、マスクと顔を密着することができ、口と鼻の前に立体的に空間を作り呼吸をしやすくしたマスクを提供する。【解決手段】和紙製または薄いゴム製のマスクのふちにテープ４を貼りつけることでマスクと顔を密着し、マスクに空気穴３をつけ、口と鼻の前に立体的に空間を作り、マスク内部には取り換えフィルター２をつけることで、外部の花粉やウイルスを吸い込まずに呼吸をしやすくした。さらに取り換えフィルターに茶のカテキンを入れることで、抗菌作用が働き、ウイルスや細菌から人体を守ることができる。【選択図】図２
0003226501.tif 000002
【実用新案登録請求の範囲】
【請求項１】
紐が無く、ふちをテープで貼りつける密着マスクで、前記マスクに空気穴をつけ、立体的に空間を作り、マスク内部に取り換えフィルター入れるところを特徴とする密着立体マスク。
【考案の詳細な説明】
【技術分野】
【０００１】
本考案は、密着立体マスクに関するものである。
【考案の概要】
【考案が解決しようとする課題】
【０００２】
通常のマスクでは、紐を耳にかけて顔にフィットさせるが、マスクと顔の間に隙間ができてしまい、花粉やウイルスが隙間から入り込んだり、さらに口と鼻にマスクが接触することで呼吸がしづらくなる問題がある。従って、紐を無くし、マスクのふちをテープで貼ることで、マスクと顔を密着することができ、口と鼻の前に立体的に空間を作り呼吸をしやすくすることで、前述の欠点を解決しようとするものである。
【課題を解決するための手段】
【０００３】
本考案は、和紙製または薄いゴム製のマスクのふちにテープを貼りつけることでマスクと顔を密着し、マスクに空気穴をつけ、口と鼻の前に立体的に空間を作り、マスク内部には取り換えフィルターをつけることで、外部の花粉やウイルスを吸い込まずに呼吸がしやすくなることで、問題点を解決している。
【考案の効果】
【０００４】
上述の様に、本考案の密着立体マスクは、取り換えフィルターに茶のカテキンを入れることで、さらに抗菌作用が働き、ウイルスや細菌から人体を守ることに役立つ。
【図面の簡単な説明】
【０００５】
【図１】本考案の顔に装着した場合の側面図である。
【図２】本考案の顔に装着した場合の断面図である。
【図３】本考案の顔に装着した場合の正面図である。
【符号の説明】
【０００６】
１    マスク
２    取り換えフィルター
３    空気穴
４    テープ
【図１】
0003226501.tif 000003
【図２】
0003226501.tif 000004
【図３】
0003226501.tif 000005
(57)【要約】      （修正有）【課題】散乱したテニスボールを回収するために、腰を落とす回数を少なくすることができるテニスボール収集器具を提供する。【解決手段】断面がＬ字型の細長い板の両端を適当な長さで切断し、蝶番５を付けて自由に折り曲げられるようにし、中央の細長い板と両端の細長い板の各部分に自在車キャスター７を付けて移動し易くし、両端の細長い板にジョイント金具１を付けて２本の柄８を接合した装置を作成し、その両端を前後左右に自由に動かして、散乱したボールを囲い込みながら押して行き、ボール１０をコートの隅に纏めることにより、速やかに集中的にボールを回収する事ができるので、腰を落とす回数を少なくすることができる。【選択図】図５
0003229991.tif 000002
【実用新案登録請求の範囲】
【請求項１】
断面がＬ字型の細長い板の両端を適当な長さで切断し、切断箇所に蝶番を付けて両端部分が自由に折り曲げられるようにし、中央の細長い板と両端の細長い板の各部分に自在車キャスターを付け、さらに、中央の細長い板と両端の細長い板の蝶番を付けた側にテニスボールが転がり易いようにプラスチック板を貼り、両端の細長い板にジョイント金具を付けて２本の柄を接合することを特徴とするテニスボール収集器具
【考案の詳細な説明】
【技術分野】
【０００１】  本考案は、テニスの練習時にボールを多数使用した場合に生じるボール拾いの手間を軽減させようとするものである。
【背景技術】
【０００２】  従来、散乱したテニスボールを回収するために、一個ずつ拾い集めることが一般的に行われているが、夫々のボールの側まで歩いて行き、その度に足腰を曲げる必要があり時間と労力を費やしている。
【先行技術文献】
【０００３】
【特許文献１】実開平０８−０００４４９号  公報
【考案の概要】
【考案が解決しようとする課題】
【０００４】（イ）従来の方法では、散乱したボールに近づき、その度に腰を落として一個ずつ拾う動作を繰り返す必要があった。
（ロ）前記の特許文献１の方法では、ボールの転がりをコントロールできないので一か所に集め難く、また、器具をコート面に接して引きずるのでコートとの摩擦が大きく、労力を要する。
【課題を解決するための手段】
【０００５】  断面がＬ字型の細長い板の両端を適当な長さで切断し、切断箇所に蝶番を付けて両端が自由に折れ曲がるようにし、細長い板の中央の板の２か所、両端の板の２か所に自在車キャスターを付け、さらに、両端の板にジョイント金具を２か所付け、それらのジョイント金具に２本の柄を接合して、２本の柄で両端の細長い板を前後左右自在に操作して散乱したボールを囲い込みながら押して行き、速やかに一か所に集めることにより問題点を解決することができる。
【考案の効果】
【０００６】  本考案の効果は次のようなものである。散乱したボールを一か所に集めてから腰を落として、集中的にボールを拾い籠に回収することができるので時間と労力を少なくする事が出来る。
【図面の簡単な説明】
【０００７】
【図１】  本考案の上面図（柄を外した状態）
【図２】  本考案の正面図（柄を外した状態）
【図３】  本考案の右側面図（柄を外した状態）
【図４】  柄の側面図
【図５】  本考案の実施例の斜視図
【考案を実施するための形態】
【０００８】  断面がＬ字型の細長い板は、金属製やプラスチック製で適当なものがあれば、そのまま利用できるが、２枚の木製の細長い板を直角に貼り合わせても作ることができる。
【実施例】
【０００９】  以下、添付図面に従って一実施例を説明する。２枚の木製の細長い板を直角に貼り合わせて断面がＬ字型の細長い板を作成し、その両端から適当な長さの位置で切断して、右側面板（２）、左側面板（３）および正面板（４）の３部分に分ける。【００１０】  正面板（４）と右側面板（２）および左側面板（３）を夫々蝶番（５）を付けて繋ぎ、各部を自由に折り曲げる事ができるようにする。各部の蝶番（５）を付けた側の面にボールが滑り、転がり易いように適当な幅のプラスチック板（６）を貼る。【００１１】  右側面板（２）および左側面板（３）の夫々の上面に一個のジョイント金具Ａ（１）を付け、夫々の下面の一か所に自在車キャスター（７）を付け、さらに、正面板（４）の下面の２か所に自在車キャスター（７）を付ける。【００１２】  ２本の柄（８）の一端に夫々一個のジョイント金具Ｂ（９）を付け、右側面板（２）および左側面板（３）の上面のジョイント金具Ａ（１）と夫々接合する。
【符号の説明】
【００１３】１  ジョイント金具Ａ    ２  右側面板    ３  左側面板    ４  正面板
５  蝶番    ６  プラスチック板    ７  自在車キャスター      ８  柄
９  ジョイント金具Ｂ    １０  テニスボール
【図１】
0003229991.tif 000003
【図２】
0003229991.tif 000004
【図３】
0003229991.tif 000005
【図４】
0003229991.tif 000006
【図５】
0003229991.tif 000007
(57)【要約】      （修正有）【課題】アールを持つ壁面など曲面の壁に対応できる柔軟性を有する曲がり廻り縁や曲がり幅木を提供する。【解決手段】曲がり廻り縁は、造作部材品となる合板１、２を厚さ３ｍｍから４ｍｍの厚みの異なる合板２枚に分割のうえピンネイルや釘などで一体化すること、そして合板２枚を一体化する際の反りを防ぐためにゴムを一枚の合板に接着すること、その一体化した合板２枚の造作部材品にモールカバーを一体化成形する造作工法を特徴とし、５０Ｒ以上の曲がり壁に対応できる。【選択図】図１
0003229954.tif 000002
【実用新案登録請求の範囲】
【請求項１】
廻り縁や幅木はその原材料の持つ硬質で直進性な素材からＲ壁面など曲面部分には使えないがＲ壁面部分など曲面部分に対応できる柔軟性を有する素材で曲がり廻り縁及び曲がり幅木を作成出来ないかと考案するなかで、一般的な約３ｍｍ〜４ｍｍ厚みの合板にゴム素材やモールカバーなどを接着一体化させることを特徴とする曲がり廻り縁及び曲がり幅木。
【考案の詳細な説明】
【技術分野】
【０００１】建築現場で従来使用されている廻り縁や幅木の造作部材品はＲ壁面に対して取り付けるのはその材質特性により使えない商品であったが、本考案の曲がり廻り縁及び曲がり幅木は、約１００Π（パイ）以上のアールの付いた曲面やＲ壁面に対応できるものである。
【背景技術】
【０００２】従来、廻り縁並びに幅木はその造作部品材料の素材としてＭＤＦ（ミディアムデンシティファイバーボード）を使用しているのでＲ壁面部分など曲面部分には使えない硬質で直進性のある材料部材品であるため、Ｒ曲線のある壁面や角には使えなかったが本考案の曲がり廻り縁及び曲がり幅木は、約１００Π（５０Ｒ）以上の曲面を有する曲がり壁面に対応できる造作部材品となる柔軟性の獲得を目指した。
【考案の概要】
【考案が解決しようとする課題】
【０００３】本考案の曲がり廻り縁及び曲がり幅木は、図１及び図２で示すように造作部材品を▲１▼厚さ３ｍｍから４ｍｍの厚みの異なる合板を２枚、▲２▼ゴム、▲３▼モールカバーなどを一体化成形することで、曲面には不可だった廻り縁及び幅木を５０Ｒ以上の曲がりに対応できる曲がり廻り縁及び曲がり幅木を作る事を考えた。
【課題を解決するための手段】
【０００４】課題を解決するために本考案は図１及び図２で示す様に、曲がり合板１をＲ壁面に接着剤または釘で固定する。【０００５】次に、曲がり合板２とゴムを接着一体化した造作物をＲ壁面に固定された曲がり合板１とピンネイルなどで固定する。【０００６】この曲がり合板２とゴムを接着一体化したものを壁面に貼り付け固定している曲がり合板１に一体固定することで曲がり合板１と曲がり合板２の反りを防ぐことが出来る。【０００７】モールカバーは、出来上がった曲がり廻り縁および曲がり幅木製品の外観的デザイン性とともにオレフィンシートが合板造作物の平面方向に対して歪みなどで曲がらないために、切り口（木口）に当てるものである。【０００８】ゆえに、図３で示している通りＲ壁面に、図４で示した様にＲ壁面の天井仕上げ面及び床仕上げ面に、曲がり合板１を接着剤または釘等で固定し、その上にゴムと一体化した曲がり合板２をピンネイル等で固定、その曲がり合板にモールカバーを両面テープ接着剤等で固定して曲がり廻り縁および曲がり幅木の造作物が製品として完成する。
【考案の効果】
【０００９】  この考案は同時に、出隅Ｒや入り隅Ｒの場所にも同様の造作手順で製品として対応できる。
【図面の簡単な説明】
【００１０】
【図１】曲がり廻り縁断面詳細図である。
【図２】曲がり幅木断面詳細図である。
【図３】Ｒ出隅壁平面図である。
【図４】Ｒ出隅壁断面図とその曲がり廻り縁及び曲がり幅木の拡大図である。
【図１】
0003229954.tif 000003
【図２】
0003229954.tif 000004
【図３】
0003229954.tif 000005
【図４】
0003229954.tif 000006
【手続補正書】
【提出日】令和2年9月2日(2020.9.2)
【手続補正１】
【補正対象書類名】実用新案登録請求の範囲
【補正対象項目名】全文
【補正方法】変更
【補正の内容】
【実用新案登録請求の範囲】
【請求項１】
一般的な約３ｍｍ〜４ｍｍの厚みの合板にゴム素材やモールカバーなどを接着一体化させることで構成される、曲がり廻り縁。
【請求項２】
一般的な約３ｍｍ〜４ｍｍの厚みの合板にゴム素材やモールカバーなどを接着一体化させることで構成される、曲がり幅木。
(57)【要約】【課題】洗濯を繰り返しても型崩れを抑え、顔にフィットする力を保つことができる衛生マスクを提供する。【解決手段】衛生マスクは、本体１と、１対の板材２と、１対の耳掛紐３とを有している。本体１は、伸縮性の２重のガーゼから成る長方形状の生地を２枚重ねにして成っている。１対の板材２は、それぞれ厚地から成る非伸縮性で可撓性の長方形状の平板を２つに折り曲げて重ねたものから成っている。各板材２は、折り曲げた山線２ａを本体１の端部１ａに向けて生地の間に挟まれて、本体１の１対の端部１ａに沿って端部１ａの全長に亘り、本体１の内部に設けられている。１対の耳掛紐３は、それぞれ伸縮性のゴム紐から成っている。各耳掛紐３は、両端が板材２の折り曲げた谷線の内側に設けられて、１対の端部１ａにそれぞれ取り付けられている。【選択図】図１
0003229957.tif 000002
【実用新案登録請求の範囲】
【請求項１】
伸縮性の長方形状の本体と、
前記本体の１対の端部に沿ってそれぞれ設けられた非伸縮性で可撓性の１対の板材と、
前記１対の端部にそれぞれ取り付けられた１対の耳掛紐とを、
有することを特徴とする衛生マスク。
【請求項２】
前記本体は伸縮性の２枚以上の生地を重ねて成り、
前記板材は非伸縮性で可撓性の平板を２つに折り曲げて重ねたものから成り、折り曲げた山線を前記本体の前記端部に向けて前記板材は前記生地の間に挟まれて前記本体の内部に設けられ、
前記耳掛紐は両端が前記板材の折り曲げた谷線の内側に設けられていることを、
特徴とする請求項１記載の衛生マスク。
【考案の詳細な説明】
【技術分野】
【０００１】
本考案は、衛生マスクに関する。
【背景技術】
【０００２】
従来、織布や不織布を用いて作られたマスク本体の、所定の縦幅を有する左右の側端辺のそれぞれに耳掛紐を取付けた衛生マスクにおいて、マスク本体の横幅を、マスクの着用状態で、左右の側端辺の夫々が耳の近傍乃至は直近に迄達する長さに設定し、マスクの着用状態でマスク本体の上縁部を膨出している鼻の表面に密着させる為に、塑性変形性を有する合成樹脂に繊維質材を包埋させた帯板状の形状保持部材を上縁部に取付けたものが開示されている（例えば、特許文献１参照）。
【先行技術文献】
【特許文献】
【０００３】
【特許文献１】実用新案登録第３１００６００号公報
【考案の概要】
【考案が解決しようとする課題】
【０００４】
しかしながら、特許文献１に記載の衛生マスクでは、洗濯を繰り返すごとに型が崩れてくるという課題があった。形状保持部材を取り付けた部分は型崩れを防ぐことができるものの、それ以外の部分では型崩れを生じ、特に縦方向の長さの縮みが大きかった。マスク本体の縦方向の長さが縮むと、耳掛紐の長さが余るため、マスク本体が顔にフィットする力が弱くなるという課題もあった。
【０００５】
本考案は、このような課題に着目してなされたもので、洗濯を繰り返しても型崩れを抑え、顔にフィットする力を保つことができる衛生マスクを提供することを目的とする。
【課題を解決するための手段】
【０００６】
上記目的を達成するために、本考案に係る衛生マスクは、伸縮性の長方形状の本体と、前記本体の１対の端部に沿ってそれぞれ設けられた１対の非伸縮性で可撓性の板材と、前記１対の端部にそれぞれ取り付けられた１対の耳掛紐とを、有することを特徴とする。
【０００７】
本考案に係る衛生マスクは、本体の１対の端部に沿って１対の板材が設けられているので、洗濯を繰り返しても型崩れを起こしにくい。特に、縦方向の長さの縮みを抑えて耳掛紐の長さが余るのを防ぎ、顔にフィットする力を保つことができる。
【０００８】
本考案に係る衛生マスクにおいて、前記本体は伸縮性の２枚以上の生地を重ねて成り、前記板材は非伸縮性で可撓性の平板を２つに折り曲げて重ねたものから成り、折り曲げた山線を前記本体の前記端部に向けて前記板材は前記生地の間に挟まれて前記本体の内部に設けられ、前記耳掛紐は両端が前記板材の折り曲げた谷線の内側に設けられていることが好ましい。
【０００９】
この場合、板材が平板を２つに折り曲げて重ねたものから成るため、強度が大きく、型崩れをしっかりと抑えることができる。また、耳掛紐の両端が板材の折り曲げた谷線の内側に設けられているので、耳掛紐をしっかりと取り付けることができる。
【考案の効果】
【００１０】
本考案によれば、洗濯を繰り返しても型崩れを抑え、顔にフィットする力を保つことができる衛生マスクを提供することができる。
【図面の簡単な説明】
【００１１】
【図１】本考案の実施の形態の衛生マスクの、（A）正面図、（B）B−B線断面図である。
【考案を実施するための形態】
【００１２】
以下、図面に基づき、本考案の実施の形態について説明する。
図１は、本考案の実施の形態の衛生マスクを示している。
衛生マスクは、本体１と、１対の板材２と、１対の耳掛紐３とを有している。
【００１３】
本体１は、伸縮性の２重のガーゼから成る長方形状の生地を数枚重ねにして成っている。１対の板材２は、それぞれ厚地から成る非伸縮性で可撓性の長方形状の平板を２つに折り曲げて重ねたものから成っている。平板は、幅６ｃｍ、厚さ約１ｍｍのデニム生地または同等の生地から成ることが好ましい。
各板材２は、折り曲げた山線２ａを本体１の端部１ａ（長方形の短辺側）に向けて生地の間に挟まれている。各板材２は、本体１の１対の端部１ａに沿って端部１ａの全長に亘り、本体１の内部に設けられている。本体１は、端部１ａがそれぞれ折り返されて各板材２とともに縫い合わされ、２列の縫目１ｂを有している。一例で、各板材２は、幅が約３ｃｍである。
【００１４】
１対の耳掛紐３は、それぞれ伸縮性のゴム紐から成っている。各耳掛紐３は、両端が板材２の折り曲げた谷線の内側に設けられて、１対の端部１ａにそれぞれ取り付けられている。
【００１５】
衛生マスクは、本体１の１対の端部１ａに沿って１対の板材２が設けられているので、洗濯を繰り返しても型崩れを起こしにくい。特に、縦方向の長さの縮みを抑えて耳掛紐３の長さが余るのを防ぎ、顔にフィットする力を保つことができる。また、板材２が平板を２つに折り曲げて重ねたものから成るため、強度が大きく、型崩れをしっかりと抑えることができる。さらに、耳掛紐３の両端が板材２の折り曲げた谷線の内側に設けられているので、耳掛紐３をしっかりと取り付けることができる。
【符号の説明】
【００１６】
１  本体
１ａ  端部
１ｂ  縫目
２  板材
２ａ  山線
３  耳掛紐
【図１】
0003229957.tif 000003
(57)【要約】      （修正有）【課題】マスクケースへマスクを収納することにより、汚染されたマスクの菌、ウィルスを低減し、衛生性を向上させる携帯用マスクケースを提供する。【解決手段】マスクケース１は、内面２ヶ所に、菌及びウィルス低減シート２ａ、２ｂが設けられており、マスクの両面がこのシート２ａ、２ｂに接触し、菌、ウィルスの低減効力により衛生的なマスクを提供できる。また、マスクフックベルト３ａ、３ｂを固定する係止部が装備されていることにより、マスクとマスクフックベルト３ａ、３ｂを一つのケースで同時に携帯できる。マスクは表裏に関係なくマスクケース１へ収納しマスクケース１の切り欠き部からマスクのゴム紐をケース外部へ出す。蓋側を閉じた時、ケース係止部により固定される。固定されたマスクのゴム紐を係止部へ引掛けることにより携帯性を容易にしている。【選択図】図１
0003229982.tif 000002
【実用新案登録請求の範囲】
【請求項１】
マスクを収納するケースは開閉自在の蓋と一体的に構成され、このケース内面の２面に菌の低減機能、抗ウィルス機能を有したシートがマスク本体の両面に接触するように設けており、マスクを収納しケースを閉じた時にこのシートが、マスクに接触し汚染されたマスクの菌、ウイルスの低減を行うことを、特徴とするマスクケースである。
【請求項２】
ケースにマスクフックベルトが収納できるように係止部を有していることを特徴とする。
【考案の詳細な説明】
【技術分野】
【０００１】本考案は、マスクを収納中に菌、ウィルスの低減を行うことを目的としたケースに関するものである。また、マスクをする際の耳に負荷がかからないようにする、マスクフックベルトもケース内部に収納でき、携帯性を持たしているケースである。
【背景技術】
【０００２】従来は、抗菌処理をおこなったマスクケースはあるが、この技術では、汚染されたマスクを収納した場合、ケース自体が徐々に汚染されていく可能性もあり、衛生的に好ましくない。また、マスクに付着した菌、ウイルスはそのままとなるため、病原体となる可能性が否めない。
【先行技術文献】
【特許文献】
【０００３】
【特許文献１】実用新案登録第３２２２１０３号
【考案の概要】
【考案が解決しようとする課題】
【０００４】従来技術の抗菌作用の収納ケースでは、菌の増殖は防げるが減少させることは難しいため、この問題点を改善させる。また、マスクゴムによる耳への負荷を軽減させる、マスクフックベルトも別々に携帯しなくてはならない。
【課題を解決するための手段】
【０００５】本考案は、マスクケース内面に菌、ウィルスの低減効力を持つシートを設け、このシートにマスクの両面を接触させられる構造により、汚染されたマスクから菌、ウィルスの低減を行い衛生的なマスクを提供する。また、耳への負荷低減をはかる
マスクフックベルトもマスクケースへ同時に収納させるため携帯性を向上させる。
【考案の効果】
【０００６】上述のように、本考案のマスクケースは菌、ウィルスの低減効力を所有するシートにより衛生的なマスクを使用者へ提供できるし、携帯性も有効である。
【図面の簡単な説明】
【０００７】
【図１】  本考案のマスクケースを開いた内部の斜視図
【図２】  本考案にマスクを装着した図
【図３】  本考案のマスクケースにマスクを収納した状態図
【図４】  本考案にマスクフックベルトの装着を示した図
【図５】  本考案のマスクフックベルトの使用例を示した図
【考案を実施するための形態】
【０００８】マスクケース１には、内面２ヶ所に減菌、抗ウィルスの効力を所有する減菌シート２ａ、２ｂが設けられている。また、内部にマスクフックベルト３ａ、３ｂを固定する係止部８ａ〜８ｄが形成されている。
【符号の説明】
【０００９】  １    マスクケース
２ａ  菌、ウィルス低減シート
２ｂ  菌、ウィルス低減シート
３ａ  マスクフックベルト
３ｂ  マスクフックベルト
４    マスク
４ａ  マスクゴム紐
４ａ  マスクゴム紐
５ａ〜５ｄ  ゴム紐通し切り欠き
６ａ  ゴム紐係止部
６ｂ  ゴム紐係止部
７ａ  ケース係止爪
７ｂ  ケース係止爪
８ａ〜８ｄ  マスクフックベルト係止部
９    ストラップ取付穴
【図１】
0003229982.tif 000003
【図２】
0003229982.tif 000004
【図３】
0003229982.tif 000005
【図４】
0003229982.tif 000006
【図５】
0003229982.tif 000007
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
マスクを収納するケースは開閉自在の蓋と一体的に構成され、このケース内面の２面に菌の低減機能、ウィルス低減機能を有したシートがマスク本体の両面に接触するように設けてあり、マスクを収納しケースを閉じた時にこのシートが、マスクに接触し汚染されたマスクの菌、ウイルスの低減を行うことを、特徴とするマスクケース。
【請求項２】
前記マスクを収納するケースにマスクフックベルトが収納できるように係止部を有していることを特徴とする請求項１記載のマスクケース。
(57)【要約】      （修正有）【課題】自己の必要とする情報の表示やその使用目的や緊急時の対応等を切替表示する表示板と防災グッズを保管する箱体を一体的に設けた情報表示防災用構造体を提供する。【解決手段】情報表示防災用構造体１００は表示板１と箱体２とを有し、表示板１と箱体２とは柱５を介して一体的に連結されている。また、キャスタ４が箱体２の下面に設けられ、移動式であるが、これに限定するものでない。【選択図】図１
0003229989.tif 000002
【実用新案登録請求の範囲】
【請求項１】
自己の必要とする情報やこの構造体の使用目的や緊急情報等を表示する表示板と、該表示板と一般的に形成され防災グッズを収納する箱体とから形成してなる構造体であって、該構造体は固定式又は移動可能に形成されることを特徴とする情報表示防災用構造体。
【考案の詳細な説明】
【技術分野】
【０００１】  本考案は、自己の主張したい表示や緊急情報や使用目的や商標等を表示収納すると共に数多くの防災グッズを収納する一体的構造の情報表示防災用構造体に関する。
【背景技術】
【０００２】  自己の必要情報やこの構造体の説明や緊急時の対応等を表示した表示板としては夫々個々に存在しているがこれ等を一体的に表現できる表示体や更にこの表示板に防災グッズを収納する箱体を一体的に固定してなる構造体は出願人の調査によると存在していない。
【考案の概要】
【考案が解決しようとする課題】
【０００３】  自己の必要とする情報を表示する看板や安全対応用の看板や緊急時の対応に関する表示板は夫々各種のものが個々には存在しているが、これ等を１つの表示体で表示する構造体は従来は存在していない。また、防災グッズとしては各種のものが有り、これを収納している箱体の如きものは存在しているが、この箱体と前記の表示体を一体的にまとめた構造体は従来存在していない。もしこの一体構造の構造体が有れば問題が生じた場合の対応が円滑に出来ると共に公共の安全性が確保される大きなメリットが発生する。
本考案の出願人は以上の要請の存在することを考慮してこの考案を考えて出願及び販売をするものである。なお、これと同一，類似の先行公知技術や構造体は今の所存在していない。
【課題を解決するための手段】
【０００４】  本考案は以上の状況を考えて出願をしたものである。この考案の請求項１の情報表示防災用構造体は、自己の必要とする情報やこの構造体の使用目的や緊急情報等を表示する表示板と、該表示板と一般的に形成され防災グッズとを収納する箱体から形成してなる構造体であって、該構造体は固定式又は移動可能に形成されることを特徴とする。
【考案の効果】
【０００５】  本考案の請求項１の情報表示防災用構造体によれば、自己の必要とする宣伝や広告が可能であると共に緊急時の対応も円滑に出来、防災グッズもすぐに手に入り、対応が円滑に行なわれる大きな効果が期待できる。また、移動式にすることにより適所に配置出来、一層の効果を上げることが出来る。
【図面の簡単な説明】
【０００６】
【図１】  本考案の情報表示防災用構造体の概要構造を示す模式的斜視図。
【図２】  防災グッズを収納の箱体を示す写真。
【考案を実施するための形態】
【０００７】  以下、本考案の情報表示防災用構造体の実施の形態を図面を参照しながら説明する。
【実施例１】
【０００８】  図１は本考案の情報表示防災用構造体１００の全体構造を示す。このものは移動式であるが勿論固定式のものでも良い。【０００９】  図１に示すように、本考案の情報表示防災用構造体１００は表示板１と箱体２とを有し、表示板１には防災情報発信切替機（ソナエージ）３が連結されているがこれは一体的のものでもよい。
本考案では表示板１と箱体２とは柱５によって一体的に形成されているが、勿論これに限定するものではない。また、移動のためのキャスタ４が箱体２の下面に設けられているが勿論、これに限定するものでない。【００１０】  表示板１の構造はここでは説明しないが、この表示板１には自己の必要とする情報やこの構造体の内容説明や緊急時の対応等が例えば防災情報発信切替機（ソナエージ）３により電気的に表示されるように構成されている。また、必要に応じてこの構造体の総称を示す商標名が表示されていてもよい。この表示を見ることにより一般人が緊急時に有効で安全の避難が出来、安全性の向上を図ることが出来る。【００１１】    図２は箱体２の中身を示したものであるが、中身は図示に限定するものでない。箱体２の蓋を開く事により必要時に必要のグッズを取り出して使用することが出来、極めて便利である。【００１２】  また、情報表示防災用構造体１００を移動式にすることにより、任意の場所に設置出来、極めて便利に使用出来る。【００１３】  本考案の情報表示防災用構造体は以上の内容のものからなるが勿論、これに限定するものでなく一般の技術的範疇のものが適用されることは勿論である。
【産業上の利用可能性】
【００１４】  本考案の情報表示防災用構造体は都道府県のあらゆる場所において使用することが出来、その利用範囲は極めて広い。
【符号の説明】
【００１５】  １      表示板
２      箱体
３      防災情報発信切替機（ソナエージ）
４      キャスタ
５      柱
１００  情報表示防災用構造体
【図１】
0003229989.tif 000003
【図２】
0003229989.tif 000004
(57)【要約】      （修正有）【課題】サーキットライダーが、トランポ移動時又はピット滞在時に、運搬・保管に気を使うヘルメットを簡単・便利に使用できるサーキットライダー用ヘルメットホルダーを提供する。【解決手段】ヘルメットホルダーは、丸棒材をＲ形状に曲げたフレーム１とそれを支える台形型の板材のベースプレート２、ベースプレートの下面に付けられた２個のコの字型フック４と、ベースプレート左右サイドに付く２個のリング３と、で構成される。トランポ移動時は、リングにトランポヘッドレストフレームを通しフレームにヘルメットを掛ける。フレームの頂点とヘルメット内側とヘッドレスト本体が接する事で安定する。ピット滞在時は、フックを相手側金網等に掛け、ベースプレートがストッパーとなり安定する。【選択図】図１
0003229990.tif 000002
【実用新案登録請求の範囲】
【請求項１】
丸棒材をＲ形状に曲げたフレームとそれを支える台形型の板材のベースプレート、ベースプレートの下面に付けられたコの字型フック２個とベースプレート左右サイドに付くリング２個で構成される事を特徴とするサーキットライダー用ヘルメットホルダー
【考案の詳細な説明】
【技術分野】
【０００１】  本考案はバイクをトランポしサーキットコース等を走るサーキットライダーのためのヘルメットホルダーである。トランポとはレース用バイク（レーシングマシン）を運ぶための車、若しくはその行為そのものを指す。
【背景技術】
【０００２】  サーキットライダーはコース（自宅）まで運転する間バイクと共にレーシングスーツやヘルメット・スペアホイール・タイヤ・予備部品等多くの備品を持参するわけなので必然的にトランポ内は荷物でめいっぱいとなります。特にヘルメットは形状やその性質上置き場所に困るライダーが多く持ち運びに苦労しております。またコースに着いても性質上置き場所に困るため車内に置いておき取りに戻ったりピット内の足元に置いて誤って蹴ってしまったりピット内に設置したテーブルから落下させてしまったり結果的に頭部を守る大切なヘルメットを傷つけてしまう事も多々見られました。
【先行技術文献】
【特許文献】
【０００３】
【特許文献１】公開実用  昭和５９−１９１９６４号  公報
【非特許文献】
【０００４】
【非特許文献１】ネットショップ「ツクツク」ヘルメットホルダーヘッドレスト装着・ハイエースステップワゴントランポに
【考案の概要】
【考案が解決しようとする課題】
【０００５】  トランポ移動時のヘルメット保管は従来品でも対応できるがサーキットコースピット内では使用できない、トランポまで取りに行くのも面倒であるし足元・テーブルにも上述の通り極力置きたくない。そこでピット滞在時でもトランポ移動時同様に誰でも簡単に使用できる１台２役とする事でこの問題を解決しようとするものである。
【課題を解決するための手段】
【０００６】  本考案は丸棒材をＲ形状に曲げたフレームとそれを支える台形型の板材のベースプレート、ベースプレートの下面に付けられたコの字型フック２個とベースプレート左右サイドに付くリング２個で構成される事を特徴とするサーキットライダー用ヘルメットホルダーである。
【考案の効果】
【０００７】  上述の様に本考案のサーキットライダー用ヘルメットホルダーは、これ１つで従来式のようにトランポ時に使用できるのはもちろんベースプレートに取り付けたフックを金網等に掛ける事でサーキットコースピット内でも使用できレーシングスーツの横に置く事でスペースの有効活用に役立ち歩いて車までヘルメットを取りに戻る手間もなくなる、従来品ではなかったヘッドレストに通すリング内径に塩ビ樹脂を使用する事で大切な愛車への引っ掻き傷等の防止もでき、しかも市販のクリップ付ミニ扇風機をベースプレートに取り付ける事で走行後のヘルメット内の乾燥にも役立ちます。
【図面の簡単な説明】
【０００８】
【図１】本考案のトランポ利用時の右斜め前からの３Ｄイメージ図である。
【図２】本考案のピット滞在時の左斜め前からの３Ｄイメージ図である。
【図３】本考案のピット滞在時の右斜め後ろからの３Ｄイメージ図である。
【図４】本考案のトランポ利用時の製品装着例である。
【図５】本考案のトランポ利用時のヘルメット装着例である。
【図６】本考案のピット滞在時の製品装着例である。
【図７】本考案のピット滞在時のヘルメット装着例である。
【考案を実施するための形態】
【０００９】  図１のステンレス製ベースプレート２はレーザーカットマシンで板材を台形型にレーザー切断する。リング３はステンレス丸棒を旋盤機械で切削加工しドーナツ形状に仕上げる。内側に入る塩ビパイプも旋盤機械で切削加工しその後リングにヤンキーバイスを用いてプレス圧入する。フック４はステンレスのフラットバーを治具を用いて手曲げにてコの字型に曲げフレーム１もステンレス丸棒を治具にて幅方向にＲ３７．５ｍｍで手曲げで曲げた後高さ方向にＲ８０ｍｍで曲げた後高さ１７０ｍｍで切断する。最後にベースプレート上面にフレーム下先端２か所、リング２個の外周一部とベースプレート台形下部分、フック背中側とベースプレート下面を各々アルゴン溶接で結合し完成となる。
【実施例】
【００１０】  以下添付図面の図１に従って一実施例を説明する。トランポ時はヘッドレストを取り外しリング３にヘッドレストフレームを通しヘッドレストを元に戻す。写真１がこの状態である。ヘルメットのシールド面を下に向けフレーム１のＲ頂点に後頭部が収まるように収納し軽く上から押し付ける。フレームのＲ部分がヘルメット内側Ｒと密着することで安定、またＲ形状のためヘルメット内側のダメージも軽減できる。またヘッドレストがストッパーとなるため安定する。写真２がこの状態である。【００１１】  以下添付図面の図２に従って一実施例を説明する。ピット滞在時は相手側金網等にフック４を上から被せて固定。写真３がこの状態である。ベースプレート２がそのままストッパーとなり固定される。ヘルメットのシールド面を前方にし上方向から収納しフレーム１の頂点がヘルメットの頭頂部周辺になるところで安定する。写真４がこの状態である。
【符号の説明】
【００１２】  １  フレーム
２  ベースプレート
３  リング
４  フック
【図１】
0003229990.tif 000003
【図２】
0003229990.tif 000004
【図３】
0003229990.tif 000005
【図４】
0003229990.tif 000006
【図５】
0003229990.tif 000007
【図６】
0003229990.tif 000008
【図７】
0003229990.tif 000009
(57)【要約】      （修正有）【課題】短時間で脚力、足指の強化が出来、左右に移動してバランス能力の向上、股関節の柔軟強化が出来、土踏まずの刺激、脹脛のマッサージが出来、持ち運びに便利で、老若男女がいつでも楽しく運動マッサ−ジが出来る足ふみ運動による足マッサージ用具を提供する。【解決手段】足マッサージ用具は、板３の表面に複数の半円球の棒２を並べて、板の裏側に角度を付けるため、一本の円柱部材４を備える。正面の半円球の棒の上で、上り、下り踵上げ運動で脚力、足の指を強化することが出来る。また、二つの板の間を広げ、左右に移動することで股関節を柔軟し強化できる。【選択図】図１
0003229936.tif 000002
【実用新案登録請求の範囲】
【請求項１】
板（３）の表面に複数の半円球の棒（２）を並べて、板（３）の裏側に角度を付けるため、一本の円柱部材（４）を備えた構成で、足ふみ運動するための足マッサージ用具。
【考案の詳細な説明】
【技術分野】
【０００１】
足ふみ運動ができる足マッサージ用具に関する。
【背景技術】
【０００２】
従来足ふみ運動用具は、スプリングが付いていて同じ場所で上下に足ふみ運動する物か、電動式の高価で大きな物であった。
【考案の概要】
【考案が解決しようとする課題】
【０００３】
その為に次の様な問題点もあった。スプリング付きの物は、同じ場所で同じ動作を続けるので、面白くなくすぐに飽きて長く続かなかった。電動式の大きな物は高価で場所も取り不便で、一般的にあまり使用されなかった。
【課題を解決するための手段】
【０００４】
板（３）の表面に複数の半円球の棒（２）を並べて、板（３）の裏側に角度を付けるため、一本の円柱部材（４）を備えた構成で、足ふみ運動するための足マッサージ用具である。
【考案の効果】
【０００５】
上り下りの足ふみ運動で、短時間で脚力、足指の強化が出来、左右に移動してバランス能力の向上、股関節の柔軟強化が出来る。裏側の角度を付ける具材で土踏まずの刺激、脹脛のマッサージが出来、軽くて小さいので持ち運びに便利で、老若男女がいつでも楽しく運動マッサ−ジが出来る用具である。短時間で足の強化が出来るので、熟年層の方が行うと転倒のリスクを減らす事が出来る。
【図面の簡単な説明】
【０００６】
【図１】本考案の足マッサージ用具の構成
【図２】本考案の足マッサージ用具の使用図（足踏み）
【図３】本考案の足マッサージ用具の使用図（脹脛のマッサージ）
【考案を実施するための形態】
【０００７】
図１は、本考案の足マッサージ用具の構成を示す。本考案の足マッサージ用具は、板（３）の表面に複数の半円球の棒（２）を並べて、板（３）の裏側に角度を付けるため、一本の円柱部材（４）を備えた構成である。図２の使用図に示すように、正面の半円球２の棒の上で、上り、下り踵上げ運動で脚力、足の指を強化することが出来る。また、二つの板の間を広げ、左右に移動することで股関節を柔軟し、強化できる。図３は脹脛のマッサージの使用例である。円柱部材（４）で、土踏まず刺激、脹脛マッサージが出来る足ふみ運動ができる。
【符号の説明】
【０００８】
１   足マッサージ用具
２  半円柱の棒
３  板
４  円柱部材
【図１】
0003229936.tif 000003
【図２】
0003229936.tif 000004
【図３】
0003229936.tif 000005
(57)【要約】      （修正有）【課題】水害などにより地面から上がってくる水に対する保護シートを提供する。【解決手段】防水性能付き保護シートは、タイヤの通行部分、停止部分に補強材を設け、もしくは目印をつけてあり、防水性能付き保護シートを敷き、所定の位置に車を移動させ、車体の側面部はシートの合わせ目が隠れるように数回巻き込み、クランプ５等で固定し、車体の前後はシートを巻き絞り、固定させ、シートの内側を密封させる。防水性能付きシートで囲まれた密封空間の中に車を置くことにより、地面から上がってくる水の侵入が防げ、その結果エンジン等が故障することがなくなる。【選択図】図３
0003229973.tif 000002
【実用新案登録請求の範囲】
【請求項１】
雨、台風などの災害から車両のエンジン、電子機器を守ることを目的としたタイヤの通行部分、停止部分に補強材を取り付けたもしくは目印をつけることを特徴とする防水性能付き保護シート。
【考案の詳細な説明】
【技術分野】
【０００１】  防水機能付きシートで車体を包み、車体の側面側はシートを折りたたみクランプ等の挟む器具で固定し、車体前後部に余ったシートは巻き絞り、シート内を密封させることにより水、物がぶつかって発生する傷から車体を保護するものである。
【背景技術】
【０００２】  台風による川の氾濫や台風により、車のエンジンや電子機器の故障、車体に傷が付くことがある。
【考案の概要】
【０００３】  地面から水かさが上がる雨、川の水害、風で飛ばされた物から車を防護するための防水機能付きシートである。
【考案が解決しようとする課題】
【０００４】  従来この種の水害に対して、雨に備えるための車体に被せるカバーは存在するが、地面から上がってくる雨や川の水位上昇による被害と風で飛ばされた物から車を防護に対する解決策が無かった。
【課題が解決するための手段】
【０００５】  本考案は上記従来例の問題点を解決すべく防水性能付きシートを車の下に敷き、所定の位置に車を移動させ車体の側面部はシートの両サイドに取り付けたマジックテープを貼り合わせた後、合わせ目が隠れるように数回巻き込みクランプ等の挟む器具で固定し、車体の前後はシートを巻き絞り、固定させシートの内側を密封させる。
【図面の簡単な説明】
【０００６】
【図１】  車体停止におけるタイヤ下に補強材を取り付けた防水機能付きシートの図
【図２】  車体停止におけるタイヤ停止場所の目印を取り付けた防水機能付きシートの図
【図３】  車体を防水機能付きシートで包み密閉させた状態の車を側面から見た図
【符号の説明】
【０００７】  １  防水機能付きシート
２  補強材
３  タイヤ停止位置への誘導用目印
４  防水機能付きシートを巻き絞り固定させた箇所
防水機能付きシートを巻き絞り固定させた箇所
５  クランプ
【図１】
0003229973.tif 000003
【図２】
0003229973.tif 000004
【図３】
0003229973.tif 000005
(57)【要約】      （修正有）【課題】ペダルを踏み込んだときも安定して殺菌除菌剤を塗布可能な踏み式スタンドを提供する。【解決手段】ペダル支持シャフト４がスタンドベース１の前に飛び出し、スタンドベースよりも下方に設置されている。使用者が足で踏むとき、踵をしっかり地面に付けたまま、つま先を下に下げると殺菌除菌剤のポンプ７を押込み溶剤が抽出し又、それと同時にスタンド全体が地面に垂直方向に押し付けられる。【選択図】図２
0003229975.tif 000002
【実用新案登録請求の範囲】
【請求項１】
ペダル支持シャフトの位置がスタンドベースの前に飛び出しスタンドベースよりも下に設けている殺菌除菌剤足踏み式スタンド。
【考案の詳細な説明】
【技術分野】
【０００１】
本考案は新型コロナウイルス対策等で手を殺菌除菌するための足踏み式スタンド器具に関するものである。
【背景技術】
【０００２】
従来の足踏み式スタンドはスタンドのベース上に足踏み機能の全てがあるため、ベース上に足を上げてペダルを踏む、若しくは足踏みのペダル部分につま先で前方下部に踏込むものであった。
【考案の概要】
【考案が解決しようとする課題】
【０００３】
本考案は、以上のような状況を鑑み、使用者が足を上げ、片足立ちになる不安定さを回避し、つま先で前方下部に踏み込み、スタンド全体が前方に押しやられ、スタンド全体が不安定化すること回避ことを課題とする。
【課題を解決するための手段】
【０００４】
上記目的を達成するため、本考案は使用者が足で踏むとき、踵をしっかり地面に付けたまま、つま先を下に下げると殺菌除菌剤（以後、溶剤）のポンプを押込み溶剤が抽出し又、それと同時にスタンド全体が地面に垂直方向押し付けられる構造とすることで構成されている。
【考案の効果】
【０００５】
以上の説明から明らかなよう、本考案にあっては次に列挙する効果が得られる
(１) 両足が常に地面についているため安定感がある。
【０００６】
(２) スタンド全体が垂直に抑えられることでスタンド全体が安定化する。
【図面の簡単な説明】
【０００７】
【図１】殺菌除菌剤足踏み式スタンド正面図
【図２】殺菌除菌剤足踏み式スタンド左側面図
【図３】殺菌除菌剤足踏み式スタンド平面図
【考案を実施するための形態】
【０００８】
以下、本考案の実施の形態を図に基づいて説明する。
【実施例１】
【０００９】
図２は本考案装置の実施例の設置時左側面図である。先ずは７ポンプ付きボトルを８抑えレバーに当たるまで９溶剤ボトル受け固定ボルトを緩めて押し上げしめつける。図面下部の５踵接地点に踵をおき歩くようにつま先を降ろせば、３ペダルが下がり、ポンプが押込まれ溶剤が抽出されるのである。つま先を降ろすとき３ペダルの下の２バネ受けの下部がスタンドベースに当たるまでの角度は９度で、５踵接地を置きなおすことはなく、通常に歩く様な感じでつま先を下げるようにすればよく、使用者の重心移動をさせ不安定化させることはないのである。又、３ペダルを押すための力は４ペダル支持シャフトの位置をベースの外に配置し、６ペダル作用点との距離を長くしたため手の指1本の力でよくなったのである。ついでスタンド全体の安定化である。５踵接地点に踵を置き、３ペダルを踏込んだとき２バネ受けが１スタンドベースに接するまでスタンド全体に力が掛かっていなく、その接したときの力の方向は重力方向、すなわち垂直に抑えられる力でありスタンド全体が安定状態になるのである。スタンド全体が安定していて、使用する人も無駄な力を使うことがないため手の殺菌除菌剤を早く正確におこなえるようになるのである。これは４ペダル支持シャフトの位置関係を１スタンドベースの外で、なおかつ１スタンドベースよりもできる限り下げたため可能になったのである。
【産業上の利用可能性】
【００１０】
近年の新型コロナウイルス対策で、手を殺菌除菌することはどのようなときも当たり前になっています。特に出入の頻度が高いと早く正確に手の消毒がなされることは必須の課題になると思われます。特にお年寄りや小さなお子さんにまで使っていただくにはあまり力は必要なく、ペダルを踏み込んだときも体が安定して、スタンド全体が安定していることが課題なのである。
【符号の説明】
【００１１】
１スタンドベース
２バネ受け
３ペダル
４ペダル支持シャフト
５踵接地点
６ペダル作用点
７ポンプ
８抑えレバー
９溶剤ボトル受け固定ボルト
【図１】
0003229975.tif 000003
【図２】
0003229975.tif 000004
【図３】
0003229975.tif 000005